(57)【要約】【課題】簡便な方法で日除けフードを保持できるようにした帽子を提供する。【解決手段】日除け付き帽子において、帽子本体の少なくとも後部下縁に日除けフードを縫着すると共に、前記帽子本体の下縁に所望間隔をおいて複数のベルト状の繋ぎ止め具を縫着し、当該繋ぎ止め具の自由端は帽子本体の側面部に係止部材によって係着可能とし、前記日除けフードの前記繋ぎ止め具の縫着部分の近傍に当該繋ぎ止め具が挿通可能な通孔を設けるという手段を採用した。そして、上記日除けフードの前側下端部に係止具を備えるという手段、または、上記日除けフードの下端縁に沿って紐を挿通させるという手段を採用した。さらに、上記日除けフードの上下方向の全長に亘って所望数の紐通しを設け、この紐通しに巻紐を挿通するという手段を採用した。【選択図】図１
2014009420.tif 000002
【特許請求の範囲】
【請求項１】
帽子本体の少なくとも後部下縁に日除けフードを縫着すると共に、前記帽子本体の下縁に所望間隔をおいて複数のベルト状の繋ぎ止め具を縫着し、当該繋ぎ止め具の自由端は帽子本体の側面部に係止部材によって係着可能とし、前記日除けフードの前記繋ぎ止め具の縫着部分の近傍に当該繋ぎ止め具が挿通可能な通孔を設けたことを特徴とする日除け付き帽子。
【請求項２】
上記日除けフードの前側下端部に係止具を備えた請求項１記載の日除け付き帽子。
【請求項３】
上記日除けフードの下端縁に沿って紐を挿通させた請求項１記載の日除け付き帽子。
【請求項４】
上記日除けフードの上下方向の全長に亘って所望数の紐通しを設け、この紐通しに巻紐を挿通した請求項１記載の日除け付き帽子。
【請求項５】
上記紐通しには複数のスポット孔を設け、巻紐を紐通しの表裏に交互に挿通した請求項４記載の日除け付き帽子。
【請求項６】
上記巻紐の一方端に係止具を備えた請求項５記載の日除け付き帽子。
【発明の詳細な説明】
【技術分野】
【０００１】
この発明は、日除けフードを備えた帽子に関するもので、特に、不使用時に日除けフードを簡便に収納するための手段を設けたものに関するものである。
【背景技術】
【０００２】
従来、屋外での散策、スポーツ等に際して、頭部を保護するため帽子を着用するが、このような帽子において、紫外線の悪影響を防止する観点から、帽子本体の後方周縁部に紫外線（太陽光線）を遮断する目的で、日除けフードを備える帽子が種々提案されている。
【０００３】
この日除けフードとしては、帽子に着脱自在に設けるもの、または、帽子に直接縫着等して、不使用時に収納する手段を有するものなどがある。
【０００４】
このうち、日除けフードを帽子に収納可能なものとして、例えば、特許文献１から特許文献３に開示されているような帽子が提案されている。
【０００５】
特許文献１に示された帽子は、キャップ型の帽子のクラウンの両側にポケットを設け、左右それぞれに分離した日よけ片を出し入れ自在に収納するようにしたものである。また、特許文献２に開示された帽子では、ハット型の帽子のクラウンの下端内周面に日よけ垂れを縫着し、不使用時には、日よけ垂れを小さく畳んで、ブリムの裏面後部に設けた収納部に収納するようにしたものである。さらに、特許文献３に開示された帽子では、キャップ型の帽子のクラウンの下端縁後部に日よけ垂れを縫着し、不使用時には、日よけ垂れを小さく畳んで、クラウンの外面側後部に設けた収納部に収納するようにしたものである。
【先行技術文献】
【特許文献】
【０００６】
【特許文献１】実開昭６２−６３３４号公報
【特許文献２】実用新案登録第３１１０９４０号公報
【特許文献３】実用新案登録第３１２５１５３号公報
【発明の概要】
【発明が解決しようとする課題】
【０００７】
しかしながら、上述した従来の日除け片付きのキャップやハットは、別途、日除け片等の収納部を構成する必要があるので、その製造工程が複雑となると共に、コストがかかるものであった。
【０００８】
また、日除け片等を収納する際、予め設けられている収納部に収納できるように、折り畳み後の大きさを考えながら折り畳む必要があったり、折り畳む順序があるなど、数々の制約があり、面倒であった。特に子どもや幼児にとっては、その扱いが困難であった。
【０００９】
そこで、もっと単純なものとして、例えば図５に示すような収納構造が考えられる。即ち、図において、（イ）は帽子本体、（ロ）は庇である。（ハ）は上記帽子本体（イ）の後部下縁に縫着して垂下させる日除けフードである。（ニ）、（ニ）・・はベルト状の繋ぎ止め具で、一方端を帽子本体の下端縁に所望間隔をおいて縫着し、他方の自由端を帽子本体（イ）の側面部にスナップ等によって係着可能としたものである。而して、日除けフード（ハ）を収容する場合は、同図（Ａ）、（Ｃ）に示したように、日除けフード（ハ）を上方へ巻き上げて、上記繋ぎ止め具（ニ）、（ニ）・・の内側にまとめて抱持させつつ、繋ぎ止め具（ニ）、（ニ）・・を帽子側面に係着させるようにしたものである。これにより、簡便な作業手順で、帽子本体（イ）の後側下縁部分に日除けフードをまとめて収容できる。
【００１０】
しかしながら、かかる構成の場合、同図（Ｂ）に示すように、日除けフード（ハ）を展開して垂下させた状態では、前記繋ぎ止め具（ニ）が、日除けフード（ハ）より内側、即ち、頭部に直接接する側に位置することになる。そのため、歩行時に、上記繋ぎ止め具（ニ）が自由に揺動し、頭部や首部に当たり、不快感を感じるという不都合があった。
【００１１】
本発明は、かかる不都合を解消するために発明をしたものであって、繋ぎ止め具の揺動を防止して、簡便な方法で日除けフードを抱持できるようにした帽子を提供することを目的としている。また、日除けフードの収納の際の折り畳みの手間を改善した帽子を提供するものである。
【課題を解決するための手段】
【００１２】
上記課題を解決するため、本発明は、日除け付き帽子において、帽子本体の少なくとも後部下縁に日除けフードを縫着すると共に、前記帽子本体の下縁に所望間隔をおいて複数のベルト状の繋ぎ止め具を縫着し、当該繋ぎ止め具の自由端は帽子本体の側面部に係止部材によって係着可能とし、前記日除けフードの前記繋ぎ止め具の縫着部分の近傍に当該繋ぎ止め具が挿通可能な通孔を設けるという手段を採用した。
【００１３】
かかる構成の日除け付き帽子は、日除けフードの使用時には、繋ぎ止め具を帽子の側面に係着させて固定できる。また、日除けフードの不使用時には、繋ぎ止め具を通孔に挿通して、日除けフードの表側から裏側に移動させることができ、日除けフードを巻き上げて抱持することができる。
【００１４】
そして、上記日除けフードの前側下端部に係止具を備えるという手段、または、上記日除けフードの下端縁に沿って紐を挿通させるという手段を採用した。
【００１５】
係止具や紐によって、日除けフードが風などで舞い上がらないように保持するものである。
【００１６】
さらに、上記日除けフードの上下方向の全長に亘って所望数の紐通しを設け、この紐通しに巻紐を挿通するという手段を採用した。
【００１７】
また、上記紐通しには複数のスポット孔を設け、巻紐を紐通しの表裏に交互に挿通するという手段を採用した。
【００１８】
そして、上記巻紐の一方端に係止具を備えるという手段を採用した。
【００１９】
日除けフードの上下方向に紐通しを介して巻紐を設けることにより、巻紐を引き絞って日除けフードを蛇腹状に絞縮してまとめることが出来、繋ぎ止め具で簡単に抱持できるようになる。
【００２０】
また、巻紐一方端の係止具は、被服に係着させて帽子が風で飛ばないようにする。
【発明の効果】
【００２１】
本発明に係る日除け付き帽子は、日除けフードに繋ぎ止め具を挿通可能な通孔を設けることによって、繋ぎ止め具を日除けフードの表裏に自由に移動させることが可能となったので、日除けフードを使用している場合には、繋ぎ止め具を帽子の側面に係着させることができる。そのため、従来のように繋ぎ止め具が頭部や首部に当たることがないので、不快感を感じることはない。また、帽子側面に係着させた繋ぎ止め具は、帽子の装飾的な作用も奏することができる。
【００２２】
また、日除けフードを収納する場合には、通孔に繋ぎ止め具を挿通させて裏側に移動し、外側から日除けフードを抱持して帽子側面に保持することができる。
【００２３】
さらに、日除けフードの前側下端部に係止具や紐を設けた場合には、係止具を衣服に係着させることで、風などによって日除けフードが舞い上がることを確実に防止できる。
【００２４】
また、日除けフードに紐通しを介して巻紐を取り付けることで、巻紐を引き絞って日除けフードを一気に蛇腹状に絞縮してまとめることが可能となるので、誰にでも簡単な操作で、日除けフードを帽子の側周面に抱持させることが出来るようになった。
【００２５】
さらに、巻紐の一方端に設ける係止具は、被服に係着させることで、帽子が風などで飛ばされることを防止する。
【図面の簡単な説明】
【００２６】
【図１】（Ａ）は本発明に係る日除け付き帽子の好ましい実施形態の側面図、（Ｂ）は、その繋ぎ止め具部分の、拡大説明図である。
【図２】（Ａ）、（Ｂ）は共に、他の実施形態の側面図である。
【図３】さらに他の実施形態を示す側面図で、（Ａ）は日除けフードを展開させた状態、（Ｂ）は収納途中の状態を示すものである。
【図４】図３に示す実施形態の変形例を示すもので、（Ａ）は日除けフードを展開させた状態、（Ｂ）は収納して紐を垂らした状態を示すものである。
【図５】従来の日除け付き帽子の例を示すもので、（Ａ）は日除けフードをまとめ上げた状態の側面図、（Ｂ）は日除けフードを垂下させた状態の部分説明図、（Ｃ）は日除けフードをまとめ上げた状態の部分説明図である。
【発明を実施するための形態】
【００２７】
以下、本発明に係る日除け付き帽子について、幾つかの好ましい実施形態を添付した図面に従って説明する。図１は最も基本的な実施形態を示すもので、図１において、１は帽子本体、２は前側の庇である。３は上記帽子本体１の後部下縁に縫着して垂下した日除けフードである。４、４・・は所望長さのベルト状の繋ぎ止め具で、一方端を上記帽子本体１の下縁に所望間隔をおいて縫着し、他方の自由端を帽子本体１の側面部にスナップ等の係止部材４ａ、４ａ・・によって係着可能としたものである。５、５・・は、上記日除けフード３において、上記それぞれの繋ぎ止め具４、４・・の基端の縫着部分の近傍に設ける通孔で、上記繋ぎ止め具４を挿通可能として、上記日除けフード３の表裏間を移動できるようにしたものである（図１（Ｂ）の矢印参照。）。
【００２８】
次に、このような構成の帽子の使用方法について説明する。日差しの強い日中などには、図１（Ａ）に示すように、帽子本体１の後部の日除けフード３を下方に垂らした状態で着用する。これにより、後頭部から首筋、肩にかけて直射日光を遮って、紫外線が肌に直接当たることを防止する。このとき、各繋ぎ止め具４は、係止部材４ａを介して帽子本体１の側面部に係着した状態である。なお、繋ぎ止め具４は、帽子の装飾的効果も有することになる。
【００２９】
日除けフード３が不要な場合は、これを折りたたんで収納するのであるが、この際、先ず、繋ぎ止め具４の係止部材４ａを解除し、図１（Ｂ）の矢印に示すように、その先端部を上記日除けフード３に設けた通孔５に挿通させ、繋ぎ止め具４が日除けフード３より内側（裏側）に移動させる（図１（Ｂ）点線参照。）。この状態で、日除けフード３を折り畳むか巻き上げるなどして小さくまとめ、帽子本体１の下縁に沿って位置させておき、続いて、繋ぎ止め具４でこれを下から抱持するようにしてその係止部材４ａを係着する。これによって、図３に示した従来のものと同様に、帽子本体１の側周面に沿って日除けフード３を収容することが可能となるのである。
【００３０】
次に、図２は他の実施形態を示すものであり、同図（Ａ）は、日除けフード３の前側下端部に、クリップ等の係止具６、６を備えたものである。この係止具６、６は、使用時に、相互に係着させるか、それぞれを衣服に係着するようにして、日除けフード３が風などで舞い上がらないように保持するものである。また、同図（Ｂ）は、日除けフード３の下端縁に沿って、紐７を挿通させたものである。同様に、紐７を引き絞って相互に結ぶことによって、日除けフード３の舞い上がりを防止できる。なお、上記係止具６や紐７の具体的な取り付け手段は、従来公知な手段による。
【００３１】
次に、図３はさらに他の実施形態を示すものである。この実施形態は、日除けフードの折り畳み収納に配慮したものである。図３において、その基本構成については図１と同じ番号を付している。次に、８、８は、日除けフード３の上下方向の全長に亘って設ける紐通しである。この紐通しは、例えばバイアステープの両側縁を日除けフード３の表面または裏面に縫着して中空状に設ける。この紐通し８は、所望の間隔をおいて、任意の数だけ設ける。９は、隣合う紐通し８、８にループ状に挿通した巻紐である。１０は上記巻紐９の一方端（図では下端）に取り付けるクリップ等の係止具である。
【００３２】
上記構成の帽子によれば、同図（Ｂ）に示すように、巻紐９を下方に引き、日除けフード３を上方に蛇腹状に絞縮してたくし上げれば、日除けフード３は小さくまとまるので、図４（Ｂ）に示すように、繋ぎ止め具４でこれを下から抱持するようにしてその係止部材４ａを係着する。これによって、前記実施形態と同様に、帽子本体１の側周面に沿って日除けフード３を収容することが可能となるのである。前記実施形態では、日除けフード３を折り畳むのが多少面倒であったが、かかる態様によれば、子どもなどにとっても極めて簡単に、日除けフード３を小さくまとめることができ、より利便性が増すものである。なお、巻紐９をひく方向は任意であり、巻紐９の上端を持って引き上げれば日除けフード３はそのまま絞縮されることになり、また、下端を持って日除けフードを上方に押し上げでも同様に絞縮できる。
【００３３】
次に、図４は上記実施形態の変形例を示すもので、紐通しの態様として、等間隔にスポット孔８ｂを有する紐通し８ａを日除けフードに縫着したものである。そして、スポット孔８ｂを利用して巻紐９を表裏交互に挿通している。かかる態様によれば、上記実施形態よりも確実に、巻紐９を利用して日除けフード３を蛇腹状に絞縮してまとめることが可能であり、同図（Ｂ）に示したように、帽子本体１の側周面に沿って日除けフード３を収容することが可能となる。なお、上記各実施形態では、紐通し８や巻紐９によって、装飾的効果も期待できる。
【００３４】
なお、これらの実施形態では、図４（Ｂ）に示すように、巻紐９が余って垂れ下がることになる。この場合、絞縮した日除けフード３と共に繋ぎ止め具４で帽子側周面に抱持してもよいが、その端部に係止具１０を設けているので、これを衣服などに係着させることで、風などによって帽子が吹き飛ばされるのを防止することができ、有用である。
【００３５】
また、上記図３、４に示す実施形態においては、巻紐９の取り付け手段は上記形態に限定するものではない。即ち、例えば、日除けフード３に直接、上下方向のスポット孔を列設して紐通しとして構成し、これに巻紐を挿通しても、同様の効果を得ることができる。
【００３６】
また、巻紐９は上例のように必ずしもループ状に挿通する必要はなく、それぞれの紐通しに１本ずつ挿通して設けても、同様の作用効果を得ることができる。要するに、上下方向に挿通する紐を利用して、日除けフードを絞縮してまとめることが出来ればよい。
【００３７】
なお、上記各実施形態において、帽子本体１及び庇２の形状は特に限定するものではなく、前庇を有するキャップ型や、周縁に庇を設けたハット型など、帽子の形状に関係なく適用できる。また、日除けフード３も、上例のように帽子の後部のみに縫着する場合の他、帽子の全周にわたって縫着することもある。この場合、繋ぎ止め具４の数も、適宜変更することができる。
【００３８】
また、帽子や日除けフードの素材も特に限定するものではなく、必要に応じて各種素材を適宜選択することができるのは勿論である。
【００３９】
さらに、繋ぎ止め具４の先端に設ける係止部材４ａについても、特に限定するものではなく、スナップやホック、面ファスナー、ボタンなど、公知の係止手段を採用することが可能である。
【符号の説明】
【００４０】
１    帽子本体
２    庇
３    日除けフード
４    繋ぎ止め具
４ａ  係止部材
５    通孔
６    係止具
７    紐
８    紐通し
８ａ  紐通し
８ｂ  スポット孔
９    巻紐
１０    係止具
【図１】
2014009420.tif 000003
【図２】
2014009420.tif 000004
【図３】
2014009420.tif 000005
【図４】
2014009420.tif 000006
【図５】
2014009420.tif 000007